(57)【要約】  容器は、内側ライナー内で束にされた一回装填分の消費者物品を備え、その内側ライナーは、封筒折りで重複して内側ライナー束の上部で相互に取り付けられている、内側ライナーの前方引き離しセクションと後方引き裂きセクションとから成る開口部フラップ組立品を備える。【選択図】図１
2019517430.tif 000002
【特許請求の範囲】
【請求項１】
消費財用の容器であって、
ボックスと、リッドヒンジ線に沿って前記ボックスにヒンジで取り付けられたリッドとを備え、前記リッドが前部壁を含む、ハウジングと、
前記ハウジング内に配置された消費財の束であって、前記束が前記ボックスから突き出した上部壁を含み、また前記束が前記消費財の周りに折り畳まれて前記束を形成する内側ライナーをさらに備え、前記内側ライナーが前記束の上部壁に封筒折りを形成するようにするものとを備え、
前記封筒折りが、
内側ライナー上部前方フラップであって、前記内側ライナー上部前方フラップが前記内側ライナーの前方パネルに従属するものと、
内側ライナー上部後方フラップであって、前記内側ライナー上部後方フラップが前記内側ライナーの後方パネルに従属するものとを備え、
前記内側ライナー上部前方フラップおよび前記内側ライナー上部後方フラップが少なくとも部分的に重複部分を形成するようにし、
また前記内側ライナーが、前方虚弱線に沿って前記内側ライナー前方パネルに従属する前方引き離しセクションを含み、前記前方引き離しセクションが前記内側ライナー上部前方フラップの一部を形成し、
前記内側ライナーが、後部虚弱線に沿って前記内側ライナー後方パネルに従属する後方引き裂きセクションを含み、前記後方引き裂きセクションが前記重複領域内の前記内側ライナー上部後方フラップの一部を形成し、
前記内側ライナーが、前記重複領域内にある後方のフラップ接着剤領域をさらに含み、前記後方のフラップ接着剤領域が、前記重複領域で前記前方引き離しセクションを前記後方引き裂きセクションに永久的に取り付けさせ、開口部フラップ組立品を作り、開口部フラップが前記束内に格納された消費財へのアクセスを可能にし、
前記開口部フラップ組立品が、前方の接着剤領域によって前記リッドの内表面に取り付けられ、前記リッドが開かれると、前記開口部フラップ組立品が前記虚弱線に沿って前記内側ライナーから分離され、開口部フラップ組立品ヒンジ線に沿って内側ライナーの前記残りの部分にヒンジ留めされているようにする、容器。
【請求項２】
前記後方引き裂きセクションが、前記重複領域で前記前方引き離しセクションの下にある、請求項１に記載の容器。
【請求項３】
前記後方引き裂きセクションが、束後部壁から前記内側ライナー上部後方フラップに延びる、請求項１〜２のいずれか一項に記載の容器。
【請求項４】
前記後方虚弱線が、前記虚弱線をどちらかの側で終結させる前記束後部壁のＣ字形状の端セクションを含む、請求項３に記載の容器。
【請求項５】
前記前方引き離しセクションが、束前部壁から前記内側ライナー上部前方フラップに延びる、請求項１〜４のいずれか一項に記載の容器。
【請求項６】
前記前方引き離しセクションの横方向幅が、前記後方引き裂きセクションの横方向幅よりも大きい、請求項１〜５のいずれか一項に記載の容器。
【請求項７】
前記ボックス内に配置されている内側フレームをさらに含み、前記内側フレームが前部壁および一対の向かい合った側壁を含む、請求項１〜６のいずれか一項に記載の容器。
【請求項８】
前記内側フレームが、前記ボックスの前部壁と前記束の間に配置されている、請求項７に記載の容器。
【請求項９】
内側補強材が前記束内に配置されている、請求項１〜８のいずれか一項に記載の容器。
【請求項１０】
前記消費財をさらに含み、前記消費財が前記束内に格納され、前記消費財が喫煙物品である、請求項１〜９のいずれか一項に記載の容器。
【請求項１１】
消費財のための容器を形成する方法であって、
‐一回装填分の消費財を提供する工程と、
‐内側ライナーを提供する工程であって、前記内側ライナーが、前方引き離しセクションおよび後方引き裂きセクションを備える工程と、
‐後方の接着剤領域内に接着剤を提供する工程と、
‐前記束の上部に封筒折りが作られるように、前記一回装填分の消費財の周りを前記内側ライナーで包んで束を形成する工程であって、前記前方引き離しセクションと前記後方引き裂きセクションとが前記後方の接着剤領域で重なるようにする工程と、
‐前記前方引き離しセクションと前記後方引き裂きセクションを、前記後方の接着剤領域で接着して、開口部フラップ組立品を形成する工程と、
‐ボックスセクションおよびリッドセクションを備える容器の容器ブランクを提供する工程と、
‐前記内側ライナーの前記前方引き離しセクション上にある前方の接着剤領域に接着剤を提供する工程と、
‐前記束の周りに前記容器を組み立てる工程と、
‐前記前方の接着剤領域を前記容器の前記リッドセクションに前記リッドの内側に取り付ける工程であって、前記容器の前記リッドを開けると、前記開口部フラップ組立品によって覆われた前記束にあるアクセス開口部を自動的に開くようにする工程と、を含む方法。
【発明の詳細な説明】
【技術分野】
【０００１】
本発明は、束になった消費財のための容器に関連する。この容器には、紙巻たばこなどの細長い喫煙物品用の容器としての特定の用途がある。
【背景技術】
【０００２】
紙巻たばこや葉巻たばこなどの喫煙物品は一般に、ボックスと、容器の後方壁を横切って延びるヒンジ線の周りにボックスに結合されたリッドとを有する剛直なヒンジリッド容器内にパッケージされる。こうしたヒンジリッド容器は通常、一枚の層状の厚紙ブランクから構築される。使用時、リッドはヒンジ線を中心に回転して容器を開き、ボックス内に配置されている喫煙物品の束へのアクセスが得られる。
【０００３】
ボックス内に配置されている喫煙物品の束は通常、金属化紙、金属箔またはその他の柔軟なシート材料の内側ライナー内に包まれる。未開口の容器の内側ライナー内の喫煙物品の束にアクセスするには、消費者は通常、まず容器のリッドを開き、内側ライナーの予め穿孔された上部分またはプルタブを取り外す。
【０００４】
欧州特許第ＥＰ２１５５５６８号は、シールされた束を有するヒンジリッド容器を開示しており、そのシールされた束は、容器のリッドが開かれると自動的に開く。ところが、シールされた束は比較的高価であり、また高速で作製するために非標準的な機械類を必要とする。自動的に開くパックを作製するための簡単な可能性があれば望ましい。本発明の一つの目的は、容器の開口を簡易化する消費財用の容器を提供することである。
【発明の概要】
【０００５】
本発明の第一の態様によると、消費財用の容器が提供されており、ここで容器はボックスおよびリッドを備えるハウジングを備え、ここでリッドはリッドヒンジ線に沿ってボックスにヒンジで取り付けられ、またリッドは前部壁を含む。さらに、容器はハウジング内に配置された消費財の束を含む。束は、ボックスから突き出した上部壁を備え、またここで束は、消費者物品の周りに折り畳まれて束を形成する内側ライナーをさらに備える。内側ライナーは束の上部壁に封筒折りを形成する。本発明によると、封筒折りは、内側ライナー上部前方フラップであって、内側ライナー上部前方フラップが内側ライナーの前方パネルに従属するものと、内側ライナー上部後方フラップであって、内側ライナー上部後方フラップが内側ライナーの後方パネルに従属するものとを備える。内側ライナー上部前方フラップおよび内側ライナー上部後方フラップは、内側ライナー上部前方フラップおよび内側ライナー上部後方フラップが、少なくとも部分的に重複部分を形成するように配置されている。
【０００６】
さらに、内側ライナーは、前方虚弱線に沿って内側ライナー前方パネルに従属する前方引き離しセクションを備え、ここで前方引き離しセクションは、内側ライナー上部前方フラップの一部を形成する。さらに、内側ライナーは、後部虚弱線に沿って内側ライナー後方パネルに従属する後方引き裂きセクションを備え、ここで後方引き裂きセクションは、重複領域内の内側ライナー上部後方フラップの一部を形成する。加えて、内側ライナーは、重複領域内にある後方のフラップ接着剤領域をさらに備え、ここで後方のフラップ接着剤領域は、前方引き離しセクションを重複領域にある後方引き裂きセクションに永久的に取り付ける。従って、開口部フラップ組立品は、開口部フラップが束内に格納される消費財へのアクセスを可能にするように作成される。
【０００７】
本発明によると、前方と後方に２本の虚弱線を単に提供し、接着剤を塗布することによって、開口部フラップは、束を開閉するために消費者によって使用される標準的な内側ライナー束から作成される。同時に、消費財用の追加的な保護が提供されるように、例えば開口部フラップ組立品によって作成されたアクセス開口部の外側の喫煙物品のフィルター端のために、開口部フラップの外側に追加的な保護用内側ライナーが束の前方上部の周りで保持される。加えて、喫煙物品用の従来のヒンジリッドパック（例えばＦｌｉｐ−ｔｏｐ（登録商標）タイプ）と比較して、より可視性の高い内側ライナーが内側ライナー束の前部壁に保持され、これは例えば消費者への情報伝達用に使用されうる。一部の実施形態において、接着剤領域は、後方引き裂きセクションと前方引き離しセクションの領域外の重複部分に延びる。このように、封筒折りの残りの部分は、開口部フラップ組立品を開口した後でさえも、相互に取り付けられたままである。こうした実施形態において、封筒折りの接着する残りの部分は、明確に画定されたアクセス開口部を作成する。さらに、封筒折りの残りの部分間の接続は、束の構造的強度を全体的に増大し、従って束内に格納された消費財の保護を強化する。
【０００８】
前方引き離しセクションを後方引き裂きセクションに取り付けるために、任意の適切な技法または技法の組み合わせを利用でき、例えば永久接着剤、剥離可能接着剤または微小吸込み構造によって、前方引き離しセクションを後方引き裂きセクションに接着する。接着剤は、後方引き裂きセクションと接触させる前に、前方引き離しセクションに塗布されてもよい。別の方法として、または追加的に、接着剤は、前方引き裂きセクションと接触させる前に、後方引き裂きセクションに塗布されてもよい。
【０００９】
虚弱線の形状に応じて、開口部フラップ組立品は、任意の適切な形状または形状の組み合わせを取ることができ、任意の適切な寸法を有することができる。虚弱線は連続的であっても非連続的であっても（例えば、穿孔されていても）よい。さらに、虚弱線は、任意の適切な技法または複数の技法の組み合わせ、例えばレーザー切断または機械的切断（例えば、ダイ切断、キス切断）を使用して形成されてもよい。虚弱線は、ラッパーの内表面と外表面に横断する方向に任意の適切な深さを含んでもよい。虚弱線は、ラッパーの合計の厚さの少なくとも約９０パーセントの深さを有することが好ましい。虚弱線は、ラッパーの合計の厚さの約１００パーセントの深さを有することがより好ましい。ラインが形成された後で、適切な任意のパーセンテージの材料が虚弱線に沿って残りうる。ラインが形成された後で、約５パーセント〜約２５パーセントの内側ライナー材料が虚弱線に沿って残ることが好ましい。
【００１０】
束は、容器を初めて開くまでは、虚弱線に沿ってより確実に封じられうる。これによって、容器内に含まれている消費財の貯蔵寿命を延長しうる。
【００１１】
内側ライナーは、適切な任意の材料または複数の材料の組み合わせを含んでもよく、また適切な任意の数の層を含んでもよい。内側ライナーは、金属箔または金属化紙で形成されることが好ましい。内側ライナーは、金属化ポリエチレンフィルムとライナー材料の積層として形成されてもよい。内側ライナーは約１０ミクロン〜約５０ミクロンの厚さを有することができ、約２０ミクロン〜約８０ミクロンの厚さが好ましい。加えて、内側ライナーには印刷受容性のトップコートが施されてもよい。
【００１２】
開口部フラップ組立品は、リッドの開口に伴い、開口部フラップ組立品が内側ライナーから虚弱線に沿って分離され、かつ内側ライナーの残りの部分に開口部フラップ組立品ヒンジ線に沿ってヒンジ留めされるように、前方の接着剤領域によってリッドの内表面に取り付けられることが好ましい。これは有利なことに、消費者が容器と内側ライナーを一回の動作で開くことを可能にする。加えて、リッドへの開口部フラップ組立品の取り付けは、パックが開かれて、アクセス開口部を潜在的に部分的に塞ぎうる時に、開口部フラップ組立品が、その元の位置に後退するのを防ぐ。開口部フラップ組立品は、側面から見た時に開口部フラップ組立品にＳ字形状が作られるような方法で、リッドに取り付けられることが好ましい。Ｓ字形状は魅力的であり、かつ例えばパックが初めて開かれて、虚弱線が依然として破断される必要がある本発明によるパックの実施形態において、Ｓ字形状は追加的に、リッドの滑らかで連続的な開口を促進する。これらの状況下で、Ｓ字形状は、例えば初回の開口動作を開始中に、虚弱線をその全長に沿って同時に破断する必要のある開口部フラップ組立品のＣ字形状よりも優れている。
【００１３】
前方引き離しセクションをリッドの内表面に取り付けるために、任意の適切な技法または技法の組み合わせを利用でき、例えば永久接着剤、剥離可能接着剤または微小吸込み構造によって、前方引き離しセクションをリッドの内表面に接着する。接着剤は、リッドの内表面と接触させる前に、前方引き離しセクションに塗布されてもよい。別の方法として、または追加的に、接着剤は、前方引き裂きセクションと接触させる前に、リッドの内表面に塗布されてもよい。
【００１４】
容器は、消費財を収容するために適切な任意の形態を取りうる。例えば、既に述べた通り、容器は、消費財を収容するボックスに接続された一つ以上のヒンジ留めされたリッドを有するヒンジリッド容器としうる。一つ以上の実施形態において、容器は、外側シェル内に取り付けられた消費財を収容するための内側スライドを有する、スライド・アンド・シェル容器としうる。容器がスライド・アンド・シェル容器である場合、外側シェルまたは内側スライドは一つ以上のヒンジリッドを含みうる。容器、内側フレーム、束、および外側の内側ライナーは、厚紙、ボール紙、プラスチック、金属、またはその組み合わせを含むがこれに限定されない、任意の適切な材料から形成しうる。厚紙の重さは、約１００グラム／平方メートル〜約３５０グラム／平方メートルであってもよい。
【００１５】
後方引き裂きセクションは、重複領域内で前方引き離しセクションの下にあることが好ましい。さらに、後方引き裂きセクションは、束後部壁から内側ライナー上部後方フラップに延びることが好ましい。こうした設計によって、束のアクセス開口部が拡大される。この方法は、束内に含まれる消費財へのより簡単なアクセスを可能にする。
【００１６】
後方虚弱線は、どちらかの側で虚弱線を終らせる束後部壁にＣ字形状の端セクションを含むことが好ましい。虚弱線のＣ字形状の端セクションは、虚弱線に沿った引き裂きが、束の後部壁の底部に向かってさらに進むのを防ぐ。従って、開口部フラップ組立品のヒンジの、明確に画定された位置が実現される。
【００１７】
前方引き離しセクションは、束前部壁から内側ライナー上部前方フラップに延びることが好ましい。こうした設計によって、束のアクセス開口部は拡大されることができ、束内部に含まれる消費財へのより簡単なアクセスを可能にしうる。特に、後部壁に延びる後方引き裂きセクションの特徴の組み合わせによって、三つの側面から消費財にアクセスすることを可能にする開口部が作られうる。これは、ロッド形状の物品を束、例えば喫煙物品などから取り外そうとする時に、特に有利である場合がある。
【００１８】
前方引き離しセクションの横方向幅は、後方引き裂きセクションの横方向幅よりも大きいことが好ましい。これは、内側ライナーの前方上部フラップが内側ライナーの後方上部フラップの上にある場合に、後方引き裂きセクションが重複領域内で内側ライナーにある開口部の端に引っかかるのを防止することができるため、特に有利である。
【００１９】
加えて、これは、より大きい開口部を束の前方に形成するため、特に有利である。従って、束内での消費財へのアクセスが向上される。
【００２０】
さらなる利点は、束の上部にある封筒折りの部分品間の整列が簡易化されることである。これは、接着剤の塗布で特に重要である。例えば、小さい方の後方引き裂きセクションで、封筒折りの内側セクションの外側に接着剤を塗布する時に、封筒折りの外側セクションがより大きい前方引き離しセクションを有するため、接着剤が側面からはみ出す可能性はより低い。
【００２１】
内側ライナーは、束の底部壁に封筒折りをさらに含むことが好ましい。別の方法として、または追加的に、内側ライナーは、束の一つ以上の側壁に封筒折りをさらに含む。束の外表面の少なくとも一部分は、ボックスの後方壁の内表面の対応する部分に永久的に貼り付けられることが好ましい。束の外表面の少なくとも一部分は、ボックスの前部壁の内表面の対応する部分に永久的に貼り付けられることが好ましい。これは全体的に、束の構造的強度を向上しうる。
【００２２】
容器はまた、ボックス内に配置された内側フレームを含んでもよい。内側フレームは、束とボックスの前部壁との間に配置されているか、束内に配置されていてもよい。束内に配置されている時、内側フレームは、束の前部壁が内側フレームとボックスの前部壁との間にあるよう位置付けられる。内側フレームは、前部壁および一対の対向する側壁を含む。内側フレームはＵ字形状であることが好ましい。本明細書で使用される「Ｕ字形状」という用語は、三つの部分を含む形状を意味し、ここで、第一の部分および第三の部分は相互に平行であり、第二の部分と直角を成す同一の方向に延びる。
【００２３】
内側フレームの前部壁は、束の前部壁が内側フレームの前部壁とボックスの前部壁との間にあるように配置されていることが好ましい。有利なことに、束の前部壁に隣接して提供される大きい表面積を有する内側フレームは、容器の構造的強度を増大する。
【００２４】
内側フレームは前部壁の上部に切り抜きを含むことが好ましい。切り抜きはアクセス開口部に実質的に対応することが好ましく、また束内の消費財の出し入れをより容易に行えるように提供される。内側フレームが切り抜きを含む場合、内側フレームの高さは内側フレームの底部から切り抜きまでの距離として画定される。
【００２５】
内側フレームは束の内側に内側補強材を含みうる。内側補強材は存在する場合に、内側フレームを製造するために利用される厚紙と類似した厚紙など、少なくとも一つの材料層を含むことが好ましい。
【００２６】
本発明による容器は、長軸方向の直角の縁および横断方向の直角の縁を有する直方体の形状であってもよい。別の方法として、容器は、一つ以上の長軸方向の丸みのある縁、横断方向の丸みのある縁、長軸方向の面取りされた縁、または横断方向の面取りされた縁、またはその組み合わせを含んでもよい。例えば、本発明による容器は以下の特徴のうちの一つ以上を含んでもよいが、これに限定されない。
前部壁および後方壁のうちの少なくとも一つの上の一つまたは二つの長軸方向の丸みのある端部または面取りされた端部。
前部壁および後方壁のうちの少なくとも一つの上の一つまたは二つの横断方向の丸みのある端部または面取りされた端部。
前部壁上の一つの長軸方向の丸みのある端部および一つの長軸方向の面取りされた端部、または後方壁上の一つの横断する方向の丸みのある端部および一つの横断する方向の面取りされた端部。
前部壁上の一つの長軸方向の丸みのある端部および一つの長軸方向の面取りされた端部、および後方壁上の一つの横断する方向の丸みのある端部および一つの横断する方向の面取りされた端部。
前部壁上の一つまたは二つの横断方向の丸みのある端部または面取りされた端部、および前部壁上の一つまたは二つの長軸方向の丸みのある端部または面取りされた端部。
第一の側壁上の二つの長軸方向の丸みのある端部または面取りされた端部、または第二の側壁上の二つの横断方向の丸みのある端部または面取りされた端部。
【００２７】
容器が一つ以上の丸みのある端部を含む場合、容器を形成するブランクは、組み立てられた容器内にそれぞれの丸みのある端部を形成するための、３本、４本、５本、６本、または７本の筋つけ線または押し罫線を含むことが好ましい。筋つけ線または押し罫線は、容器の内側、または容器の外側のいずれにあってもよい。筋つけ線または押し罫線は、互いに約０．３ｍｍ〜４ｍｍの間隔を有することが好ましい。
【００２８】
押し罫線または筋つけ線の間隔は、層状ブランクの厚さの関数であることが好ましい。押し罫線または筋つけ線の間隔は、層状ブランクの厚さの約０．５〜約４倍であることが好ましい。
【００２９】
容器が一つ以上の面取りされた端部を含む場合、面取りされた端部の幅は、約１ｍｍ〜約１０ｍｍであることが好ましく、約２ｍｍ〜約６ｍｍであることが好ましい。一つ以上の実施形態において、容器は、二つの明確な面取りが容器の端の上に形成されるように間隔を置いた、３本の平行な押し罫線または筋つけ線によって形成された二重面取りを含んでもよい。容器が面取りされた端部を含む場合、面取りは、容器を形成する層状ブランクにある２本の平行な押し罫線または筋つけ線によって形成されてもよい。押し罫線または筋つけ線は、第一の壁と第二の壁の間の端に対して対称的に配置しうる。別の方法として、押し罫線または筋つけ線は、面取りが容器の第二の壁の中に達するよりも容器の第一の壁の中に深く達するように、第一の壁と第二の壁の間の端に対して非対称的に配置しうる。
【００３０】
別の方法として、容器は、例えば多角形（三角形または六角形など）、または楕円形、半楕円形、円形または半円形といった、非長方形の横断断面を持ちうる。
【００３１】
本発明による容器は、細長い喫煙物品（例えば、紙巻たばこ、葉巻たばこ、またはシガリロなど）用のパックとしての特定の用途がある。当然のことながら、その寸法を適切に選択することによって、本発明による容器は、異なる数の従来サイズ、キングサイズ、スーパーキングサイズ、スリムまたはスーパースリムの紙巻たばこ用に設計されてもよい。
【００３２】
その寸法の適切な選択によって、本発明による容器は、異なる合計数の喫煙物品、または異なる配置の喫煙物品を保持するように設計しうる。例えば、その寸法の適切な選択によって、本発明による容器は、合計１０〜３０の喫煙物品を保持するように設計しうる。
【００３３】
喫煙物品の束を収容するだけでなく、容器は、例えばマッチ、ライター、消火手段、口臭フレッシュ、または電子装置などのその他の消費財をさらに含んでもよい。その他の消費財は、容器の外側に取り付けられてもよく、容器の中に喫煙物品とともに、容器の別の区画内に収容されてもよく、またはその組み合わせであってもよい。
【００３４】
ハウジングのリッドは、ボックスにヒンジで取り付けられており、かつ開位置と閉位置の間で操作されるように適合されている。開位置において、消費者はハウジング内に配置された消費財にアクセスできる。リッドは、容器の後方壁を横切って延びるヒンジ線に沿って、ボックスにヒンジで取り付けられる。「ヒンジ線」という用語は、容器を開くためにリッドが枢動しうる線を意味する。ヒンジ線は、例えばハウジングの後方壁を形成するパネル内の折り目または筋つけ線としうる。
【００３５】
容器の構成要素の相対的位置を描写するために使用される「前部」、「後方」、「上の」、「下の」、「側部」、「上部」、「底部」という用語は、上部端でリッドを有し、前部の上端から出し入れ可能な消費財を有する、直立位置にある容器について言及するものである。「左」および「右」という用語は、容器をその直立位置で前部から見た時の容器の側壁に言及して使用されうる。
【００３６】
「内表面」という用語は、本明細書全体を通して、容器が閉位置にある時に、その容器の内部に面する（例えば、消費財に面する）組立済み容器の構成要素の表面を意味するために使用される。
【００３７】
「外表面」という用語は本明細書全体を通して、その容器の外側に向かって面する容器の構成要素の表面を意味するために使用される。例えば、一つ以上の実施形態において、容器は、容器の外側ハウジングに面する外表面と、容器の束に面する内表面とを含む内側フレームを含む。
【００３８】
本明細書で使用されるすべての科学的および技術的な用語は、別途指定のない限り、当業界で一般に使用される意味を持つ。本明細書で提供した定義は、本明細書で頻繁に使用される特定の用語の理解を容易にするために提供されている。
【００３９】
本発明のさらなる態様によると、本発明は消費財の束を対象とし、ここで束は上部壁を備え、およびここで束は、内側ライナーが束の上部壁に封筒折りを形成するように、消費者物品の周りで折り畳まれて束を形成する内側ライナーをさらに備える。従って、封筒折りは、内側ライナー上部前方フラップであって、内側ライナー上部前方フラップが内側ライナーの前方パネルに従属するものと、内側ライナー上部後方フラップであって、内側ライナー上部後方フラップが内側ライナーの後方パネルに従属するものとを備え、そうすることで内側ライナー上部前方フラップと内側ライナー上部後方フラップが少なくとも部分的に重複部分を形成する。内側ライナーは、前方虚弱線に沿って内側ライナー前方パネルに従属する前方引き離しセクションを備え、ここで前方引き離しセクションは内側ライナー上部前方フラップの一部を形成する。さらに、内側ライナーは、後部虚弱線に沿って内側ライナー後方パネルに従属する後方引き裂きセクションを備え、ここで後方引き裂きセクションは、重複領域内の内側ライナー上部後方フラップの一部を形成する。内側ライナーは、重複領域内にある後方のフラップ接着剤領域をさらに備え、ここで後方のフラップ接着剤領域は、重複領域で前方引き離しセクションを後方引き裂きセクションに永久的に取り付けて開口部フラップ組立品を作り、ここで開口部フラップは束内に格納された消費財へのアクセスを可能にする。こうした束のさらなる実施形態の利点および可能な特徴については既に上述されている。
【００４０】
束は、束の前部壁にある前方虚弱線の近くの前方接着剤領域を含むことが好ましい。これは、上述した通り、開口部フラップ組立品を周囲の容器のリッド壁に取り付けるために使用されうる。
【００４１】
本発明のさらなる態様によると、消費財のための束を形成する方法が提供されており、方法は、一回装填分の消費財を提供する工程と、内側ライナーを提供する工程であって、内側ライナーが前方引き離しセクションおよび後方引き裂きセクションを備える工程と、後方の接着剤領域内に接着剤を提供する工程と、束の上部に封筒折りが作られるように、一回装填分の消費財の周りを内側ライナーで包んで束を形成する工程とを含み、前方引き離しセクションおよび後方引き裂きセクションが後方の接着剤領域で重なるようにする。この方法は、前方引き離しセクションと後方引き裂きセクションを後方の接着剤領域で接着して、開口部フラップ組立品を形成する工程をさらに含む。
【００４２】
方法は、ボックスセクションおよびリッドセクションを備える容器の容器ブランクを提供する工程と、内側ライナーの前方引き離しセクション上にある前方の接着剤領域に接着剤を提供する工程と、束の周りに容器を組み立てる工程と、前方の接着剤領域を容器のリッドセクションにリッドの内側に取り付ける工程とをさらに含み、容器のリッドを開けることで、開口部フラップ組立品によって覆われた束にあるアクセス開口部を自動的に開くようにすることが好ましい。
【００４３】
ここで本発明の一部の態様が図示されている図面を参照する。
【図面の簡単な説明】
【００４４】
【図１】図１は、容器がハウジングと、ハウジング内に配置された束とを含む、開位置での容器の実施形態の概略斜視図である。
【図２】図２は、図１の束の概略上面斜視図である。
【発明を実施するための形態】
【００４５】
図１〜２を参照すると、消費財用の容器１０と、容器のハウジング内に配置された束４０との実施形態の概略斜視図が図示されている。ハウジングは、ボックス１４と、ヒンジ線（図示せず）を介してボックス１４にヒンジで取り付けられたリッド２０とを含む。ヒンジ線は、容器１０のボックス１４の後方壁を横切って延び、図１に示されている通りリッド２０が閉位置から開位置に移動することを可能にするように作用する。ヒンジ線は、リッド後部壁２４とボックス後方壁（表示せず）の間に配置されている。ボックス１４は、ボックス側壁１６、ボックス前部壁１２およびボックス底部壁（表示せず）をさらに含む。リッド２０は、リッド側壁２６、リッド上部壁（表示せず）およびリッド前部壁２２をさらに含む。折り目に沿ってリッド前方２２に従属するのは、リッド内に１８０度折り畳まれ、かつリッド前部壁２２と平行に位置する、リッド前方下パネル２８である。リッド前方下パネル２８は、リッド前部壁接触領域２９をさらに含む。リッド前部壁接触領域２９は、リッド前方下パネル２８の全領域またはリッド前方下パネル２８の部分を覆いうる。
【００４６】
ボックス１４の内側には、内側フレーム前部壁の一部の部品がボックス前部壁１２から突き出しうるように内側フレーム３０が配置されているが、一部の実施形態において、内側フレーム前部壁の全体はボックス前部壁１２によって覆われている。内側フレームは、ボックス側壁１６から突き出しうる内側フレーム側壁３６を含むが、一部の実施形態において、内側フレーム側壁３６の一方または両方の全体は、それぞれのボックス側壁３６によって覆われている。
【００４７】
束４０は、消費財を収容するための内部容積を少なくとも部分的に画定し、また束上部壁、束側壁４６、束前部壁４１および束後部壁（表示せず）を含む。一つ以上の実施形態において、容器１０は、束４０、例えば喫煙物品などの内部に配置された消費財を含みうる。束４０は、消費財の周りを包んだ内側ライナーを含む。内側ライナーは、容器が初めて開かれる前に、消費財を保護するためにバリア材料（複数可）で作製されている。バリア材料は、紙、金属化紙、金属箔またはプラスチックおよび金属の積層体であってもよい。内側ライナー材料はシールされてもよく、消費財の周りに折り畳まれるだけでもよい。
【００４８】
図２を参照すると、図１の容器１０の束４０の概略斜視図が図示されている。内側ライナーは束上部壁に封筒折りを形成する。封筒折りは、束上部壁に重複部分７０を形成する、内側ライナー上部前方フラップ４２および内側ライナー上部後方フラップ４４を含む。
【００４９】
内側ライナーは、内側ライナー上部前方フラップ４２の上縁端から内側ライナー前部壁にＵ字形状で延び、内側ライナー前方引き離しセクション５０を形成する前方虚弱線５２をさらに含む。内側ライナーは、内側ライナー上部後方フラップ４４の上縁端から内側ライナー後部壁に延び、一対の実質的に平行な後部虚弱線６２間に内側ライナー後方引き裂きセクション６０を形成する一対の実質的に平行な後部虚弱線６２をさらに含む。後部虚弱線６２は、後部虚弱線６２の下側端が束の上部を指すように、内側ライナー後部壁でＣ字形状（表示せず）に終結する。これは、後部虚弱線６２が破断した時に、引き裂きが束後部壁にまで進むのを妨げる。後部虚弱線６２のＣ字形状の下側端の位置はまた、内側ライナー後方引き裂きセクション６０のためのヒンジ領域を画定する。
【００５０】
虚弱線５２、６２のどれかは、十分に大きい力がかかった場合に、虚弱線５２、６２に沿って破断するように提供された切り取り線または筋つけ線（例えば、機械的に切られた、またはレーザー切除されたもの）でもよい。虚弱線５２または６２が破断した時に作られるアクセス開口部を正確に位置付けるために、虚弱線５２、６２を破断するのに必要な力は、内側ライナー材料を破断する力の少なくとも二分の一であることが好ましい。
【００５１】
重複領域７０には、後方フラップ接着剤領域が提供されており、内側ライナー後方引き裂きセクション６０および内側ライナー前方引き離しセクション５０が共に開口部フラップ組立品８０を形成するように、少なくとも内側ライナー後方引き裂きセクション６０と内側ライナー前方引き離しセクション５０を接着する永久接着剤を含む。後方の接着剤領域６４はまた、重複部分７０をさらに横切って延びてもよく、従って内側ライナー上部前方フラップ４２を内側ライナー上部後方フラップ４４に結合し、開口部フラップ組立品８０が開かれて束の内容物が露出した時に、虚弱線５２、６２に沿ってアクセス開口部を作成する。
【００５２】
外側の開口部フラップ組立品８０の下側領域には、前方の接着剤領域５４がある。前方の接着剤領域５４は、開口部フラップ組立品８０をリッド前部壁接触領域２９に取り付ける。
【００５３】
使用時、リッド２０を後方に枢動することによって容器１０が初めて開かれた時に、開口部フラップ組立品８０は虚弱線５２または６２に沿って引き裂かれ、アクセス開口部を開く。その後、容器が閉じられると、開口部フラップ組立品８０は内側束４０内でアクセス開口部を再び覆う。
【図１】
2019517430.tif 000003
【図２】
2019517430.tif 000004
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
消費財用の容器であって、
ボックスと、リッドヒンジ線に沿って前記ボックスにヒンジで取り付けられたリッドとを備え、前記リッドが前部壁を含む、ハウジングと、
前記ハウジング内に配置された消費財の束であって、前記束が前記ボックスから突き出した上部壁を含み、また前記束が前記消費財の周りに折り畳まれて前記束を形成する内側ライナーをさらに備え、前記内側ライナーが前記束の上部壁に封筒折りを形成するようにするものとを備え、
前記封筒折りが、
内側ライナー上部前方フラップであって、前記内側ライナー上部前方フラップが前記内側ライナーの前方パネルに従属するものと、
内側ライナー上部後方フラップであって、前記内側ライナー上部後方フラップが前記内側ライナーの後方パネルに従属するものとを備え、
前記内側ライナー上部前方フラップおよび前記内側ライナー上部後方フラップが少なくとも部分的に重複部分を形成するようにし、
また前記内側ライナーが、前方虚弱線に沿って前記内側ライナーの前方パネルに従属する前方引き離しセクションを含み、前記前方引き離しセクションが前記内側ライナー上部前方フラップの一部を形成し、
前記内側ライナーが、後部虚弱線に沿って前記内側ライナーの後方パネルに従属する後方引き裂きセクションを含み、前記後方引き裂きセクションが前記重複領域内の前記内側ライナー上部後方フラップの一部を形成し、
前記内側ライナーが、前記重複領域内にある後方のフラップ接着剤領域をさらに含み、前記後方のフラップ接着剤領域が、前記重複領域で前記前方引き離しセクションを前記後方引き裂きセクションに永久的に取り付けさせ、開口部フラップ組立品を作り、開口部フラップが前記束内に格納された消費財へのアクセスを可能にし、
前記開口部フラップ組立品が、前方の接着剤領域によって前記リッドの内表面に取り付けられ、前記リッドが開かれると、前記開口部フラップ組立品が前記虚弱線に沿って前記内側ライナーから分離され、開口部フラップ組立品ヒンジ線に沿って内側ライナーの前記残りの部分にヒンジ留めされているようにし、
前記前方引き離しセクションの横方向幅が、前記後方引き裂きセクションの横方向幅よりも大きい、容器。
【請求項２】
前記後方引き裂きセクションが、前記重複領域で前記前方引き離しセクションの下にある、請求項１に記載の容器。
【請求項３】
前記後方引き裂きセクションが、束後部壁から前記内側ライナー上部後方フラップに延びる、請求項１〜２のいずれか一項に記載の容器。
【請求項４】
前記後方虚弱線が、前記虚弱線をどちらかの側で終結させる前記束後部壁のＣ字形状の端セクションを含む、請求項３に記載の容器。
【請求項５】
前記前方引き離しセクションが、束前部壁から前記内側ライナー上部前方フラップに延びる、請求項１〜４のいずれか一項に記載の容器。
【請求項６】
前記ボックス内に配置されている内側フレームをさらに含み、前記内側フレームが前部壁および一対の向かい合った側壁を含む、請求項１〜５のいずれか一項に記載の容器。
【請求項７】
前記内側フレームが、前記ボックスの前部壁と前記束の間に配置されている、請求項６に記載の容器。
【請求項８】
内側補強材が前記束内に配置されている、請求項１〜７のいずれか一項に記載の容器。
【請求項９】
前記消費財をさらに含み、前記消費財が前記束内に格納され、前記消費財が喫煙物品である、請求項１〜８のいずれか一項に記載の容器。
【請求項１０】
消費財のための容器を形成する方法であって、
‐一回装填分の消費財を提供する工程と、
‐内側ライナーを提供する工程であって、前記内側ライナーが、前方引き離しセクションおよび後方引き裂きセクションを備え、前記前方引き離しセクションの横方向幅が、前記後方引き裂きセクションの横方向幅よりも大きい工程と、
‐後方の接着剤領域内に接着剤を提供する工程と、
‐前記束の上部に封筒折りが作られるように、前記一回装填分の消費財の周りを前記内側ライナーで包んで束を形成する工程であって、前記前方引き離しセクションと前記後方引き裂きセクションとが前記後方の接着剤領域で重なるようにする工程と、
‐前記前方引き離しセクションと前記後方引き裂きセクションを、前記後方の接着剤領域で接着して、開口部フラップ組立品を形成する工程と、
‐ボックスセクションおよびリッドセクションを備える容器の容器ブランクを提供する工程と、
‐前記内側ライナーの前記前方引き離しセクション上にある前方の接着剤領域に接着剤を提供する工程と、
‐前記束の周りに前記容器を組み立てる工程と、
‐前記前方の接着剤領域を前記容器の前記リッドセクションに前記リッドの内側に取り付ける工程であって、前記容器の前記リッドを開けると、前記開口部フラップ組立品によって覆われた前記束にあるアクセス開口部を自動的に開くようにする工程と、を含む方法。
【国際調査報告】
2019517430.tif 000005
2019517430.tif 000006
2019517430.tif 000007